(57)【特許請求の範囲】
【請求項１】
室内外を仕切る隔壁構造に形成された開口部に嵌め装着され室内外を連通する筒状の風洞の室内側端には、前記隔壁構造の室内側面に沿うフランジを形成し、前記風洞の室内側の開口部には前記フランジと一体にオリフィスを形成し、前記風洞内にはモーターを組込み、このモーターの回転軸には前記風洞内で回転するプロペラ式の羽根車を着脱可能に装着し、前記風洞の室内側の開口部には、前記フランジの室内側面に取付けられたシャッター枠に支持された開閉するシャッターを備えた換気扇であって、前記風洞のフランジにおける室内側の開口部の周囲に落込み段差を設け、この落込み段差に係合する厚みの口縁部を有し、前記風洞のオリフィスよりも小径の第２のオリフィスを、前記風洞の落込み段差にその口縁部を係合させて前記第２のオリフィスの口縁部と前記風洞のフランジの室内側の面とが段差のない平面形態となるように着脱可能に装着した換気扇。
【発明の詳細な説明】
【０００１】
【発明の属する技術分野】
本発明は、室内外を仕切る隔壁構造に形成された開口部に嵌め装着される換気扇に関するものである。
【０００２】
【従来の技術】
上記この種の換気扇の中には特開平５―９９４６６号公報に示されているようなパイプ用の換気扇がある。これは、室内外を仕切る隔壁構造を貫通して設けられたパイプに装着して換気の用に供されるものであり、図１１，１２に示すような構成が採られている。即ち、パイプにより形成された隔壁構造の開口部に嵌め装着され室内外を連通する筒状の風洞３１を備えている。この風洞３１の室内側端には、隔壁構造の室内側面に沿うフランジ３２が半径方向に形成されている。風洞３１の室内側の開口部にはフランジ３２と一体にオリフィス３３が形成されている。風洞３１内にはモーター３４が組込まれ、このモーター３４の回転軸に風洞３１内で回転する羽根車３５が着脱可能に装着されている。風洞３１の室内側の開口部には、フランジ３２の室内側面に取付けられたシャッター枠３６に支持された開閉動する複数枚のシャッター３７が設けられている。風洞３１の室内側はこのシャッター３７とともに通風可能のグリル３８で被冠されている。
【０００３】
こうした構成の換気扇の送風特性において、風量よりも静圧を優先させる必要がある場合、風洞３１のオリフィス３３の径よりも径の小さい別部品のオリフィス３９を風洞３１に取付け、羽根車３５を別部品のオリフィス３９に適合する小さな羽根径のものに交換している。こうすることにより風量は減るが静圧の大きな換気扇を構成することができる。
【０００４】
【発明が解決しようとする課題】
上記のような従来の換気扇において、別部品のオリフィス３９を取付けて静圧の大きな換気扇を構成すると、風洞３１のシャッター枠３６を取付けるフランジ３２面にオリフィス３９の口縁部４０が突出することになり、段差ができるためこの部分の清掃がし難くなるうえシャッター枠３６も大きくしなければならず、室内へ突出する寸法が大きくなってしまうといった問題点がある。小さいままのシャッター枠３６を使えば、オリフィス３９の口縁部４０とフランジ３２面とに段差があるため、シャッター枠３６が取付けにくくなるばかりでなく、シャッター枠３６とフランジ３２との間に隙間ができてしまう。この隙間を無くすにはシャッター枠３６の形状を段差に応じた複雑なものとしなければならない。
【０００５】
本発明は、上記した従来の問題点を解消するためになされたもので、その課題とするところは、小径のオリフィスを段差を作らずに取付けうる換気扇を得ることであり、小径のオリフィスを取付けてもシャッター枠を大きくする必要のない換気扇を得ることであり、小径のオリフィスを取付けても清掃性が損なわれない換気扇を得ることである。
【０００６】
【課題を解決するための手段】
前記課題を達成するために請求項１の発明は、室内外を仕切る隔壁構造に形成された開口部に嵌め装着され室内外を連通する筒状の風洞の室内側端には、隔壁構造の室内側面に沿うフランジを形成し、風洞の室内側の開口部にはフランジと一体にオリフィスを形成し、風洞内にはモーターを組込み、このモーターの回転軸には風洞内で回転するプロペラ式の羽根車を着脱可能に装着し、風洞の室内側の開口部には、フランジの室内側面に取付けられたシャッター枠に支持された開閉するシャッターを備えた換気扇について、その風洞のフランジにおける室内側の開口部の周囲に落込み段差を設け、この落込み段差に係合する厚みの口縁部を有し、風洞のオリフィスよりも小径の第２のオリフィスを、風洞の落込み段差にその口縁部を係合させて第２のオリフィスの口縁部と風洞のフランジの室内側の面とが段差のない平面形態となるように着脱可能に装着する手段を採用する。
【０００９】
【発明の実施の形態】
次に本発明の実施の形態を図面に基づいて説明する。
図１〜図１０に示すこの実施の形態の換気扇は、室内外を壁構造等の隔壁構造を貫通して設けられたパイプ等により形成された開口部に嵌め装着されるものであり、開口部に嵌め装着され室内外を連通する筒状の風洞１を備えている。この風洞１は樹脂で一体に成形され、その室内側端には、隔壁構造の室内側面に沿うフランジ２が半径方向に一体に形成されている。風洞１の室内側の開口部３にはフランジ２と一体にオリフィス４が形成されている。風洞１内には三本のモーター取付足５が中心に向って突出していて、このモーター取付足５にモーター６が風洞１の中心線上に取付けられている。モーター６の回転軸は風洞１の室内側の開口部３に向けられていて、その軸端にプロペラ式の羽根車７が着脱可能に装着されている。この羽根車７の回転により風洞１に室内側の開口部３から室外側の開口部８に向う空気流が形成される。
【００１０】
風洞１のフランジ２の室内側の面の上部二箇所には、図３に示すように前方へ突出するフック状の爪９が形成され、下部二箇所には取付孔１０が形成されている。風洞１の室内側の開口部３の風洞１に一体に形成されたオリフィス４の外周部には、リング状に落込み段差１１が形成されている。落込み段差１１の平面部１２には周方向に間隔をおいて複数の係合孔１３が設けられ、係合孔１３の間には小突起１４が形成されている。風洞１のフランジ２の室内側の面には、図２に示すようにシャッター枠１５に支持された開閉動する複数枚のシャッター１６が設けられている。各シャッター１６はシャッター枠１５に回動可能に支持され、図５に示すように連結棒１７により連結されていて、いっせいに開閉動する。連結棒１７は通常はシャッター１６を閉止する方向に戻しバネ１８により付勢され、風洞１側に取付けられたソレノイド１９に連結され、ソレノイド１９の動作により開放側に摺動する。各シャッター１６は、シャッター枠１５の上縁を風洞１のフランジ２の二箇所の爪９に引っ掛け、下部の二箇所で取付孔１０にネジ締めすることによりフランジ２の室内側に着脱可能に装着される。風洞１の室内側はこのシャッター１６及びシャッター枠１５とともに全体が着脱できる通風可能なグリル２０で被冠されている。
【００１１】
この換気扇の送風特性は、例えば図８に示すＡであり、この送風特性において、風量よりも静圧を優先させる換気扇を構成する場合には、風洞１のオリフィス４の径よりも径の小さい別部品の第２のオリフィス２１が風洞１に図６に示すように取付けられる。第２のオリフィスは図９，１０に示すように樹脂で一体形成され、風洞１の落込み段差１１にほぼ一致する厚みで落込み段差１１に係合する口縁部２２を有し、風洞１の落込み段差１１にその口縁部２２を係合させることによりその筒部２３が風洞１内に突入する。第２のオリフイス２１の口縁部２２の背面には、風洞１の落込み段差１１の平面部１２に設けられた係合孔１３に係合させて掛止めうる複数の掛止突起２４が設けられ、また、掛止め状態で小突起１４が突入する小孔２５が形成されている。この掛止突起２４を係合孔１３に嵌め合わせ、一方に少し回転させることにより小突起１４の小孔２５への突入とともに掛止突起２４が係合孔１３の孔縁に掛止まり、第２のオリフィス２１を風洞１に取付けることができ、上記とは逆手順を踏めば風洞１から第２のオリフィス２１を取外すことができる。
【００１２】
こうして風洞１に取付けた第２のオリフィス２１の口縁部２２と風洞１のフランジ２の室内側の面とは段差のない平面形態となり、シャッター枠１５をその室内側に装着してもシャッター枠１５の当り面側に隙間はできず、別のシャッター枠を持つシャッターを用意する必要はない。従って、室内側への突出寸法も大きくならず、段差が無いので清掃性も向上する。第２のオリフィス２１の装着とともに、羽根車７を第２のオリフィス２１に適合する小さな羽根径のものに交換することにより、風量は減るが静圧の大きな図８のＢで示す送風特性の換気扇を構成することができる。
【００１３】
【発明の効果】
以上実施の形態での説明からも明らかなように、請求項１の発明によれば小径のオリフィスを段差を作らずに取付けることができ、小径のオリフィスを取付けてもシャッター枠を大きくしたり、複雑な構成とならない清掃性の良い換気扇が得られる。
【図面の簡単な説明】
【図１】実施の形態の換気扇を一部を破断して示す側面図である。
【図２】実施の形態の換気扇を一部を破断して示す正面図である。
【図３】実施の形態の換気扇の風洞の正面図である。
【図４】実施の形態の換気扇の風洞の側断面図である。
【図５】実施の形態の換気扇のシャッター部分の構成図である。
【図６】実施の形態の換気扇を一部を破断して示す側面図である。
【図７】図６のア矢印部の拡大図である。
【図８】実施の形態の換気扇の送風特性を示す説明図である。
【図９】実施の形態の換気扇の第２のオリフィスを示す背面図である。
【図１０】実施の形態の換気扇の第２のオリフィスを示す断面図である。
【図１１】従来の換気扇を一部を破断して示す側面図である。
【図１２】図１１のイ矢印部の拡大断面図である。
【符号の説明】
１  風洞、  ２  フランジ、  ３  開口部、  ４  オリフィス、  ６  モーター、  ７  羽根車、  １１  落込み段差、  １３  係合孔、  １５  シャッター枠、  １６  シャッター、  ２１  第２のオリフィス、  ２２  口縁部、  ２４掛止突起。
【図１】
0003633275.tif 000002
【図２】
0003633275.tif 000003
【図３】
0003633275.tif 000004
【図４】
0003633275.tif 000005
【図５】
0003633275.tif 000006
【図６】
0003633275.tif 000007
【図７】
0003633275.tif 000008
【図８】
0003633275.tif 000009
【図９】
0003633275.tif 000010
【図１０】
0003633275.tif 000011
【図１１】
0003633275.tif 000012
【図１２】
0003633275.tif 000013